(57)【要約】  封止キャップを通る空気交換を確保するために少なくとも１本の一次通気路及び少なくとも１本の二次通気路が設けられている、特にペンを封止するための、封止キャップ。
2012526673.tif 000002
【特許請求の範囲】
【請求項１】
封止キャップにおいて、
閉封されるべき素子を受け入れるための少なくとも１つの開口(８)及び前記開口(８)の断面積に実質的に垂直な封止キャップ軸(２)、
少なくとも１本の一次通気路(１０)、ここで、前記封止キャップ軸(２)は前記一次通気路の断面に対して少なくとも一部分が実質的に垂直である、
及び
少なくとも１本の二次通気路(２０)、ここで、前記封止キャップ軸(２)は前記二次通気路の断面に対して少なくとも一部分が実質的に平行である、
を有することを特徴とする封止キャップ(１)。
【請求項２】
前記封止キャップ(１)が外側部分(４)及び内側部分(６)を有することを特徴とする請求項１に記載の封止キャップ(１)。
【請求項３】
前記少なくとも１本の一次通気路(１０)が前記外側部分(４)と前記内側部分(６)の間に形成されることを特徴とする請求項２に記載の封止キャップ(１)。
【請求項４】
前記外側部分(４)が少なくとも１本の脚(９)によって前記内側部分(６)と連結されることを特徴とする請求項３に記載の封止キャップ(１)。
【請求項５】
前記少なくとも１本の二次通気路(２０)が実質的に、前記封止キャップ(１)の前記開口(８)に対向する関係にある、閉端(３)に配置されることを特徴とする請求項１から４のいずれかに記載の封止キャップ(１)。
【請求項６】
前記二次通気路(２０)が前記封止キャップ(１)の前記閉端(３)から隔てられることを特徴とする請求項５に記載の封止キャップ(１)。
【請求項７】
前記二次通気路(２０)の軸方向長さが前記封止キャップ(１)の前記閉端(３)の外側断面よりも実質的に小さいことを特徴とする請求項１から６のいずれかに記載の封止キャップ(１)。
【請求項８】
前記二次通気路(２０)が、壁厚及び／または軸方向壁長が変化する、壁を有することを特徴とする請求項１から７のいずれかに記載の封止キャップ(１)。
【請求項９】
前記封止キャップ(１)が熱可塑性材料でつくられることを特徴とする請求項１から８のいずれかに記載の封止キャップ(１)。
【請求項１０】
前記封止キャップ(１)が、生体不活性であり、人間が消化できる、材料でつくられることを特徴とする請求項１から９のいずれかに記載の封止キャップ(１)。
【請求項１１】
少なくとも１本の別の通気路、すなわち三次通気路(３０)が設けられ、前記三次通気路(３０)が、前記一次通気路(１０)、前記二次通気路(２０)及び前記三次通気路(３０)の断面が相互に実質的に直交するように、配置されることを特徴とする請求項１から１０のいずれかに記載の封止キャップ(１)。
【請求項１２】
前記通気路(１０，２０，３０)の内の少なくとも２つが、相互に通じる開口を有し、したがって共通の壁領域を有することを特徴とする請求項１から１１のいずれかに記載の封止キャップ(１)。
【請求項１３】
ペンにおいて、筆先及び、前記筆先を閉封するための、請求項１から１２のいずれかに記載の封止キャップ(１)を有することを特徴とするペン。
【発明の詳細な説明】
【技術分野】
【０００１】
本発明は、特にペンを閉封するための、封止キャップに関する。
【背景技術】
【０００２】
この種の封止キャップは、例えば保管状態におけるペンの干上がりを防止するために、知られている。そのような封止キャップは通常、筆先が封止キャップによって気密に覆われるような態様でペンに嵌め合わされる。ペンを使用するには、封止キャップがペンから外されて、脇に置かれるかまたは−備えられていれば−ペンの、筆先の逆側の、端に嵌め合わせることができる。
【０００３】
既知の封止キャップは通常、そのようなキャップが誤って飲み込まれた場合にも呼吸気交換が可能であるように、縦方向に小さな貫通口を有する。この開口の位置及び大きさは、「１４歳までの子供による使用が想定される筆記用具及びマーキング用具のためのキャップ−安全要件(Caps for writing and marking instruments intended for use by children up to 14 years of age; Safety requirements)」に関するＩＳＯ標準１１５４０において規制されている。
【０００４】
既知の封止キャップの欠点は、通気口の使用による安全機能が封止キャップの単一の向きでしか保証されないことである。比較的小さな封止キャップの場合は特に、飲み込まれたときに封止キャップが人間の気管内で軸方向を向かず、気管に対して横になるか、または気管内ではさまってしまうことがたまたまおこり得る。既知の封止キャップの場合、そのようにはさまった状態では空気の流通が悪化し、気管の完全な閉塞に至る。
【０００５】
既知の封止キャップにともなう別の欠点は、通気口が完全にまたはある程度遮断された場合にも、空気の流通が妨げられるかまたは阻止されることである。ペンが子供によって用いられる場合には特に、そのような遮断は容易に、例えば工作用粘土またはプラスティシンで遊んでいるときに、おこり得る。
【発明の概要】
【発明が解決しようとする課題】
【０００６】
本発明の課題は、上で論じた現状技術の問題を解決するか、あるいは少なくとも既知の封止キャップを改善することにある。
【課題を解決するための手段】
【０００７】
可能な解決策は請求項１の特徴を有する封止キャップ及び請求項１３の特徴を有するペンを含む。
【０００８】
本発明にしたがう、特にペンを閉封するための、封止キャップは、閉封されるべき素子を受け入れるための少なくとも１つの開口及び、この開口の断面に実質的に垂直な、封止キャップ軸を有する。さらに、本発明にしたがう封止キャップには少なくとも１本の一次通気路が設けられ、封止キャップ軸は一次通気路断面に対して実質的に垂直である。さらに、少なくとも１本の二次通気路が設けられていて、封止キャップの封止キャップ軸は二次通気路断面に足しして」実質的に平行である。
【０００９】
したがって、２本の通気路、すなわち一次通気路及び二次通気路は相互に補完して、封止キャップが誤って飲み込まれた場合に対する改善された安全システムを与える。例えばループを用いて、二次通気路を備えることでさらに、一方では気管壁による、また他方では玩具材料、例えば工作用粘土のような異物による、一次通気路の入口領域の閉塞が防止される。
【００１０】
一次通気路及び二次通気路を備えることには、２本の通気路の内の一方が閉塞された場合であっても、開いている通気路が残っていることにより少なくともいくらかの安全態様が残るから、利点がある。したがって、第２の、遮断されていない通気路は、遮断された通気路によるリスクに関しても、飲み込まれた状態での配位に関しても、安全余裕にあたる。
【００１１】
本発明にしたがう封止キャップは外側部分及び内側部分を有することができる。外側部分と内側部分への分割は、特に「ペンを封止する」機能と「封止キャップを掴む」機能の相互の分離が可能であることを意味する。そのような分離には、両要素をそれぞれに求められる要件、すなわち、相互に影響を与えずに、一方ではペン先を閉封し、他方では人間工学に則って封止キャップを手で掴むという要件に適合させることができる。
【００１２】
すなわち、本発明にしたがう封止キャップにおいては、外側部分と内側の部分の間に少なくとも１本の一次通気路を形成するかまたは配置することができる。このようにすれば、一次通気路は、一方では封止キャップの外側部分の外側掴み面から隠され、他方では外側掴み面から確実に隔てられる。この配置により、避けられなければならない、一次通気路の遮断に関する安全性がさらに得られる。隠し配置は、そのようにすれば通気路の遮断がさらに一層良く防止され得るから、有益である。内側部分と外側部分の間の領域に入る通気路を遮断し得るであろう塵埃または付着物は、通気路が実質的に露わになっている場合よりも著しく少ない。内側部分と外側部分の間の防護された領域またはその他の別途に防護された領域に別の通気路、例えば二次通気路を配し得ることも当然であろう。
【００１３】
本発明にしたがう封止キャップはさらに、例えば外側部分が少なくとも１本の脚により内側部分に連結されるような構成とすることができる。少なくとも１本の一次通気路を、その少なくとも１本の脚と内側部分と外側の部分の間に形成することができる。複数の脚が用いられる場合、対応する複数の一次通気路がある。そのような設計構造には、とりわけ、射出成形法を用いて比較的容易に形成できるという利点がある。一次通気路が内側部分と外側部分の間に配されるという事実は、内側部分がペン先のための気密封止性ももち得ることを意味する。このようにすれば、ペン先のための完全閉封独立空間が設けられ、それにもかかわらず、本構成は封止キャップ全体に関して一次通気路の所望の通気性を維持する。
【００１４】
さらに、本発明の封止キャップは、実質的に封止キャップの開口に対向する関係にある閉端に少なくとも１つの二次通気路が配置されるような構造をもつことができる。そのような構成により、封止キャップの開口はペン先を受け入れるために、構造的観点において、開いたままであり、同時に閉端にある二次通気路も実施的に開いている設計構造をもつことができる。したがって、ペンを閉封する機能及び二次通気路を提供する機能のいずれの機能も構造上互いに独立している。
【００１５】
いずれの構造においても、封止キャップの二次通気路は封止キャップの閉端から隔てられている。この離隔は、二次通気路の構造による、一次通気路の保護の要件に関して特に有益である。このようにすれば、ペンの封止キャップを外した状態における封止キャップのそれぞれの保管場所に依存して、両通気路、すなわち一次通気路及び二次通気路がともに遮断状態になる確率がさらに一層小さくなるように、一次通気路と二次通気路の間にペンの別の要素を備えることができる。すなわち、二次通気路を離して配置することにより、本発明にしたがう封止キャップを用いた場合に安全要因の一層の増強が得られる。
【００１６】
本発明にしたがう封止キャップは、二次通気路の軸方向長さが封止キャップの閉端の外側断面より実質的に小さいような形状とすることができる。これは、二次通気路が、その幾何学的全長において、実質的に封止キャップ自体の幾何学的全幅より先に突き出さないことを意味する。このようにすれば、二次通気路には、封止キャップの有用性及び外観に関して、美的観点からも人間工学的観点からも、いかなる制限も課されない。
【００１７】
本発明にしたがう封止キャップは、壁厚が変化するかまたは軸方向で壁長が変化する、二次通気路のための壁も備える。すなわち、例えば二次通気路の封止キャップの残り部分への接合領域において、二次通気路自体の抜け落ちを防止するため、壁に対して比較的壁厚を大きくすることができ、同時に、接合領域から隔てられた二次通気路の端においては薄い壁厚で十分とすることができる。状況に応じるかまたはそれにかかる負荷に合わせられるそのような構造は、封止キャップ全体に必要な材料を低減し、したがって対応する生産コストを低減する。異なる軸方向壁長または壁厚は、例えば２つの通気路の遮断に対する防護をさらになお改善することができる。すなわち、二次通気路の壁のパーツは、実質的に封始端において封止キャップをこえるシールドまたは実質的に平らなカバーの手段の形態で突出し、よって１つないしさらに多くの通気路の遮断をほとんど完全に排除する。
【００１８】
本発明にしたがう封止キャップは例えば熱可塑性材料でつくることができる、これには、そのような材料を用いると、本発明にしたがう封止キャップの比較的簡単で低コストの製造が可能であるという利点がある。このようにすれば、封止キャップを熱可塑性プロセス、例えば射出成形プロセスを用いて低費用で大量に製造することができる。
【００１９】
本発明にしたがう封止キャップが、おこり得る気管への飲み込みに関する防護に加えて、どのようなものであっても可能な限り有害な影響が少ないかまたはそのような有害な効果が全く無いことも必要な状況において、食道に飲み込まれた場合に、本発明にしたがう封止キャップを実質的に消化できる材料でつくることが有益であり得る。そのようにすれば、飲み込まれた、本発明にしたがう封止キャップは胃内で少なくともある程度消化または分解されて、体外に排泄され得る。原理的に、例えばポリプロピレン(ＰＰ)のような、いかなる生体不活性材料も封止キャップに適する。
【００２０】
少なくとも１本の一次通気路及び二次通気路に加えて、少なくとも１本の別の通気路、すなわち三次通気路を設けることができる。この三次通気路は、一次通気路、二次通気路及び三次通気路の断面が相互に、すなわち他の２つの断面のそれぞれと、実質的に直交するように配置され得ることが好ましい。３つの異なる通気路、すなわち一次通気路、二次通気路及び三次通気路の３軸構成により、本発明にしたがう封止キャップは極めて実質的に包括的な安全性を備える。したがって、それぞれの飲込み状態に応じて２本の通気路が遮断された場合であっても残る３本目の通気路によって空気がそこを通過できるように、安全性が高められている。
【００２１】
封止キャップ全体をさらに一層小形にするため、少なくとも２本の通気路が相互流通開口を有することができる。これは、少なくとも２本の通気路が相互に入れ子にされた関係または連結された関係で配置されることを意味する。そのような入れ子関係は、個々の通気路が、少なくとも部分的に壁を共有するかまたは壁全体を共有することを意味する。したがって通気路は少なくとも部分領域において一方が他方の中に配される。入れ子配置は、本発明にしたがう高レベルの安全性を達成し、同時に全体構造をさらに小形にするため役立つ。
【００２２】
本発明にしたがう封止キャップは、例えば本発明にしたがう封止キャップによって閉封される筆先を有する、ペンに用いることができる。
【００２３】
本発明の別の有益な構成及びそれらに関する例としての多くの実施形態が、添付図面を参照して、以下でさらに詳細に説明される。特定の実施形態の説明に用いられる、「左」、「右」、「上」及び「下」は、参照数字及び図番号を普通に読むことができる向きにおいて、図面に関係付けられる。
【図面の簡単な説明】
【００２４】
【図１】図１は本発明にしたがう封止キャップの一実施形態を通る断面図である。
【図２】図２は本発明にしたがう封止キャップの別の実施形態を通る断面図である。
【図３】図３は相互に入れ子にされた通気路の斜視図を示す。
【発明を実施するための形態】
【００２５】
図１は外側部分４及び内側部分６を有する封止キャップ１の断面図を示す。この場合、内側部分６は封止キャップ１の封止キャップ軸２に沿って軸方向長さのほぼ１/２にかけて延びる。内部部分は軸方向長さとほとんど同じ長さとすることもでき、特定の設計構造においてはさらに長くすることもできることに注意すべきである、封止キャップ１は内側部分６の領域にペン先を受け入れるように設計される。内側部分６と外側部分４は脚９によって相互に連結される。その１つを図１の断面に見ることができる脚９の間に一次通気路１０が形成される。脚９は、クロージャーキャップ軸２のまわりの一次通気路１０の実質的に対称な分散配置が得られるように、クロージャーキャップ１の軸２を中心とする実質的に星形の形状で配置される。脚９の断面は、この場合、一方では呼吸気交換に十分な面積があり、他方では外部部分４と内部部分６の間の連結も十分に機械的に安定であるように、一次通気路１０の断面より小さい。星形とは別のいずれかの脚の配置も考えられることは当然であろう。
【００２６】
ペン、特にその筆先が封止キャップで閉封される場合、筆先が封止キャップ１の内側部分６の内部に入るまで、筆先が封止キャップ１の開口８に差し込まれる。筆先が挿入されたときに内側部分６を封止するため、例えばリッジの形態の、内部部分封止手段６＊を設けることができる。閉封状態においてペンの筆先が入っている領域、すなわち内部部分６の内部領域が完全に封止されることが図１の断面から分かるであろう。しかし、内側部分６は内側部分の表面と筆先の表面の間の、挿入状態においてそれらと接触する、適する嵌め合い手段によっても封止され得る。脚９間の一次通気路１０は封止領域の外側に配され、よって封止の完全性を損なうことはない。したがって、内部領域６の内部領域内に受け入れられている状態において筆先が干上がることは不可能である。周縁に沿って延びる形態の、ペンに封止キャップを機械的にまた取外し可能な態様で結合する、ラッチ手段４＊を筆先の受入れが目的とされる開口の近くの外側部分の内表面に設けることができる。
【００２７】
封止キャップ１の閉端３に二次通気路２０を設けることができ、閉端３は軸方向で開口８に対向する関係にある。二次通気路２０は実質的に中空円筒の形態にあり、中空円筒は封止キャップ１の閉端３において２つの横方向接合によって配置される。二次通気路２０が、比較的大きい負荷がかかった場合でさえも、その内部開口を保持し、よってその通気作用を維持することを保証するため、比較的大きな壁厚が適用される。したがって、二次通気路２０の外側配置及び大きな壁厚は、二次通気路２０に十分な耐機械的負荷能力を与える。
【００２８】
図１に示される、封止キャップ１は、熱可塑性材料、例えば生体不活性ポリプロピレン(ＰＰ)でつくることができる。二次通気路２０のための孔は射出成形工程の後で、例えばドリル穴開けにより、付加することができる。ここで、その耐機械的負荷能力を可能にするために二次通気路２０に備えられる大きな壁厚は、付帯する孔の形成のための二次通気路２０の簡単で確固とした固定可能性という別の利点を与える。しかし、あるいは孔はラテラルプル(lateral pull)により製造中に既に形成しておくこともできる。
【００２９】
図２は、本発明にしたがう封止キャップの別の実施形態の断面図を示す。図２に示される封止キャップ１は図１の封止キャップと同様であるが、一次通気路１０及び二次通気路２０に加えて三次通気路３０も有する。三次通気路３０は、封止キャップの閉端３において、二次通気路２０の上に配置される。三次通気路３０の、その断面に関する方位は、封止キャップ１の軸２に実質的に平行であり、さらに二次通気路２０の断面に対して実質的に垂直である。したがって通気路１０，２０及び３０の断面または関連付けられる中心線は、実質的に相互に直角をなす、すなわち直交する、３軸座標系を定める。図２の実施形態の封止キャップ１が飲み込まれた場合、今では、封止キャップ１の位置及び個々の通気路のおこり得る閉塞にかかわらず、少なくとも１つの通気路が開いたままであるような高められた安全態様がある。
【００３０】
図２の実施形態において、三次通気路３０は二次通気路２０に上に配置され、二次通気路２０に、したがって脚によって封止キャップ１にも間接的に、固定態様で結合される。図１の実施形態において二次通気路２０の場合について既述したように。三次通気路３０の内部領域も、射出成形工程後に、例えばドリル穴開けによって、形成され、あるいは射出成形工程中にラテラルプル(lateral pull)により形成される。この場合もやはり、三次通気路３０の比較的大きな壁厚及び三次通気路３０の壁の大きな軸方向長さが、内部領域の形成において、機械的負荷に関して役立つ、
図３は相互に連結態様で入れ子にされた三次通気路３０と二次通気路２０の一実施形態の一部分の詳細図を示す。図３の実施形態において、通気路の壁厚及び壁の軸方向長さは図１及び２の実施形態に比較して著しく縮小されている。得られる全システムは一層小形であるだけでなく、やや繊弱でもある。繊弱形状にもかかわらず、少なくとも２つの通気路断面により、空気交換に関する高レベルの安全性がまだ残されている。
【００３１】
図３の実施形態の繊弱形状の別の利点は。２本の通気路２０及び３０の遮断に対する高レベルの安全性である。三次通気路３０及び二次通気路２０の通気路断面領域に見いだされ得る可能な材料は、そのような材料は通路断面に押し込まれるに十分には大きくないことが多いから、そのような繊弱形状のため再び比較的容易に抜け落ちる。しかし、その大きさのため押込みが可能であろう汚染物は、まさにその大きさのために、２本の通気路の内側領域に全く入り込むことができない。
【００３２】
封止キャップを通す空気交換を保護するための少なくとも１本の一次通気路及び少なくとも１本の二次通気路がある、特にペンを閉封するための、封止キャップに関する本発明の上述した実施形態は可能な実施形態しか含まず、本発明を限定しない。
【符号の説明】
【００３３】
１    封止キャップ
２    封止キャップ軸
３    封止キャップ閉端
４    封止キャップ外側部分
４＊    ラッチ手段
６    封止キャップ内側部分
６＊    封止手段
８    封止キャップ開口
９    脚
１０    一次通気路
２０    二次通気路
３０    三次通気路
【図１】
2012526673.tif 000003
【図２】
2012526673.tif 000004
【図３】
2012526673.tif 000005
【国際調査報告】
2012526673.tif 000006
2012526673.tif 000007